(57)【要約】  本発明は、カプセルケージ（６）に導入されたカプセル（３）を使用する飲料抽出マシン用のシステムに関連し、このシステムは、カプセルがマシンへ案内され、保持され、それから抽出位置へ動くために解放されることを可能にするスライド（５）を含み、ケージは、カプセルのマシン内への挿入を可能にする後退された位置と、カプセルが、ケージ内で抽出プレート（４）に当たって保持される、飲料を抽出する位置との間で動かされ、スライドは、作動手段により、ケージがその抽出位置に戻ると、マシンに導入されたカプセルをケージ内に挿入するために、カプセルを解放し、使用済みカプセルがケージから抜かれた後でのみ初期位置に戻るように、ケージと協調して、しかし遅れて動かされる。
2016518192.tif 000002
【特許請求の範囲】
【請求項１】
カプセルケージ（６）に導入されたカプセル（３）を使用して飲料を抽出するマシン用のシステムであって、
カプセルのマシンへの案内的な進入と、カプセルの保持と、カプセルの抽出位置への解放とを可能にするスライド（５、５’）を含み、
前記ケージは、カプセルのマシン内への導入を可能にする後退された位置と、カプセルがケージ内で抽出プレート（４）に当たって保持される、飲料を抽出する位置との間で変位され、前記スライドは、遅延作動手段により、一方で、ケージがその抽出位置に変位されると、マシンに導入されたカプセルをケージ内に挿入するために、カプセルを解放し、他方で、使用済みカプセルがケージから抜かれた後でのみ初期位置に戻るように、ケージと協調して、しかし遅れて変位される、前記システム。
【請求項２】
遅延作動手段は、少なくともピン（１０、１０’）と、スロット（１１、１１’）とを含む、請求項１に記載のシステム。
【請求項３】
ピンまたは複数のピンはケージ上に配設され、対応するスロットまたは複数のスロットはスライド上に配設されている、請求項２に記載のシステム。
【請求項４】
ピンまたは複数のピンはスライド上に配設され、対応するスロットまたは複数のスロットはケージ上に配設されている、請求項２に記載のシステム。
【請求項５】
ケージは、レバー（２）および伝動手段（７〜９）により作動される、請求項１〜４のいずれか１項に記載のシステム。
【請求項６】
伝動手段は、少なくともギア（８、９）と、ロッド（７）とを含む、請求項５に記載のシステム。
【請求項７】
ケージが動いている間に、該ケージ内に貫通しカプセルをケージから押し出すカプセルエジェクタ（１２）をさらに含む、請求項１〜６のいずれか１項に記載のシステム。
【請求項８】
請求項１〜７のいずれか１項に定義されたような少なくとも１つのシステムを含む、飲料、例えばコーヒー用抽出マシン。
【請求項９】
飲料を作るための製品を収容する少なくとも１つのカプセル（３）と組み合わされている、請求項８に記載のマシン。
【請求項１０】
抽出マシン用のシステムを使用してコーヒーのような飲料を抽出する方法であって、前記システムは、カプセルケージに導入されたカプセルを使用し、前記システムは、カプセルのマシンへの進入と、カプセルの保持と、カプセルの抽出位置への解放とを案内するスライドを含み、該方法において、前記ケージは、カプセルのマシン内への導入を可能にする後退された位置と、カプセルがケージ内で抽出プレートに当たって保持される、飲料を抽出する位置との間で変位され、前記スライドは、一方で、ケージがその抽出位置に変位されると、マシンに導入されたカプセルをケージ内に挿入するために、カプセルを解放し、他方で、使用済みカプセルがケージから抜かれた後でのみ初期位置に戻るように、ケージと協調して、しかし遅れて変位される、前記方法。
【発明の詳細な説明】
【技術分野】
【０００１】
先行出願への参照
本出願は、Ｅｔｈｉｃａｌ  Ｃｏｆｆｅｅ  Ｃｏｍｐａｎｙ  ＳＡの名義で２０１３年４月１１日に出願した特許出願ＰＣＴ／ＩＢ２０１３／０５２８８８の優先権を主張するものであり、この先行出願の内容を、参照によって本出願に全体的に組み入れる。
【０００２】
本発明は、カプセルに収容された、例えば挽いたコーヒーの濃縮ドーズを抽出することにより、例えばコーヒーに基づく飲料を調製する分野のものである。本発明は、より詳細には、かかるドーズを使用するデバイスに関し、特に、コーヒーマシンのような抽出マシンに関する。
【背景技術】
【０００３】
上述の原理に従って作動するカプセルおよびマシンは、何十年もの間存在している。
【０００４】
特許文献１、特許文献２、特許文献３、および特許文献４は、まず複数の点でカプセルに穴が開けられ、それから、加圧水により浸透されるデバイスについて記載している。
【０００５】
特許文献５または特許文献６に記載されるカプセルは、下側に膜を含む。加圧水が、まずカプセルの上側に導入され、この加圧水により、主に膜にて、カプセルが膨張する。ある圧力を超えると膜が破れ、よって、水とコーヒーの混合物が流出する。
【０００６】
膜を備える他のカプセルが、以下の特許文献：特許文献７、特許文献８、特許文献９に記載されている。
【０００７】
例として、特許文献１０は、カプセル抽出用デバイスを記載しており、その内容を参照によって本出願に組み入れる。この公報で詳述されているように、かかるデバイスにおいて直面する問題の１つは、デバイス内でのカプセルの位置決め、および抽出を達成するためのカプセル周囲でのデバイスの閉じ方である。
【０００８】
特に、使用者が非常に簡単に行うことができ、マシンが最適な条件のもとで確実に抽出を達成するような位置決めを可能とすることが求められている。
【０００９】
多数の従来技術の公報が特許文献１０にて特定されており、従来技術の詳細な提示のために、これらの文献が参照されている（特許文献１０の１〜３頁参照）。
【００１０】
特許文献１０における従来技術は、抽出システムを実行する複数の実施形態を提案している。この従来技術の原理は、以下のとおりであり：カプセルを中間位置から抽出位置へ進ませることを含み；カプセルは、第１の（いわゆる中間の）位置で保持され、カプセルは抽出位置へ進み、抽出後にカプセルは、単純な重力作用のもとに自然に解放され、例えば回収手段内に落ちて、新しいカプセルをマシンに導入することができる。
【００１１】
固定部材は、可動部材を固定部材に向かって並進運動させるガイド本体を含む。ガイド本体は、可動部材を水平運動に案内するために、例えば実質的に水平に配向される。ガイド本体は、例えば、少なくとも２つのガイドレール、好ましくは４つのガイドレールにより構成される。この発明によるデバイスは、水の水平注入による抽出を可能にする。可動部材は、好ましくは、実質的に円筒形である。
【００１２】
特許文献１０によるデバイスでは、カプセル導入位置決め部材は、ガイド本体に対して前方および垂直に設けられ、少なくとも１つのガイド手段を含む。この部材は、２つのガイド手段を含むことが好ましい。これらの手段は、いかなる種類のものであってもよく、例えば、特許文献１１によるカプセルを抽出する場合、これらは、カプセルのフランジが係合されることを可能にする導入スライドである。
【００１３】
特許文献１０では、特に、第１の実施形態が図５および図６に示され、第２の実施形態が図７から図１０に示され、第３の実施形態が図１１から図１３に示されている。
【００１４】
より詳細には、第１の実施形態では、デバイスは、カプセルの保持手段を含む。これらの保持手段は、カプセルが、導入位置決め部材に導入されたときに、カプセルを中間位置に保持するように構成される。これらの保持手段は、ハウジング内の抽出位置におけるカプセルの軸に対して偏位した（ｏｆｆｓｅｔ）、または傾斜した軸に沿ってカプセルを保ち、この抽出位置は、可動部材が固定部材に接して閉じられ、したがってカプセルを囲んでいる位置に相当する。
【００１５】
特許文献１０によれば、中間位置から抽出位置へ進むには、２つの解決策がある。
【００１６】
第１の解決策は、例えば、抽出位置におけるカプセルの軸に対して偏位した形でカプセルを中間位置に保ち、可動部材が、その動きと共に、カプセルに作用してカプセルを下げ、前記可動部材の軸に沿ってカプセルを抽出位置に押進することからなる。カプセルは、その再配置軸（または抽出軸）に沿って、偏位し、例えば抽出軸に平行であってもよく、またはその再配置軸に対してある角度、好ましくは３０度よりも小さい角度で傾斜していてもよい。かかる解決策により、どのような機械的な煩雑さをも回避し、可動部材の使用を最小限とすることが可能となる。実際、カプセルを静的保持手段により中間位置に保持するだけでよく、固定部材に向かってカプセルが変位する間にカプセルを変位し、次いで抽出位置にカプセルを位置決めし、それによりカプセルの軸を抽出位置にもたらすのは可動部材である。
【００１７】
したがって、第１の好ましい実施形態では、可動部材は、カプセルが中間位置から抽出位置へ進む間、保持手段を越えてカプセルを進ませるように構成されている。したがって、可動部材がカプセルを動かすときに、カプセルは偏位した、または傾斜した軸に沿って位置決めされているので、カプセルは、抽出位置におけるカプセルの軸に相当する可動部材の変位軸に強制的に復され、それによりカプセルは保持手段を越えて進まされる。カプセルが保持手段を通過した後で、カプセルは、一方が他方に接して閉じ、カプセルを抽出部材に当接する部材の少なくとも１つにより抽出位置に置かれる。２つの部材が再び開くと、カプセルはもはや保持手段により保持されず、したがって解放可能となる。
【００１８】
第２の可能性は、可動部材が、変位軸にあるカプセルを単にその抽出位置に押進することである。
【００１９】
この第２の可能性を実行するために、特許文献１０のデバイスは、カプセルを中間位置に、ハウジングの軸と実質的に同軸の軸に沿って保持するように構成された保持手段を提案しており、可動部材が保持手段の開きに作用し、能動的にそれらを広げ、カプセルがその中間位置から抽出位置に進むことを可能にする。
【００２０】
この実施形態では、ガイド手段が回動し、可動部材が開位置のときにカプセルを中間位置にロックし、可動部材が閉位置のときにカプセルを解放するように配置された保持手段を形成する、または含む。これらのガイド手段は、回転可能に取り付けられ、可動部材の外側に設けられた作動レバーにより、ロック位置および解放位置に駆動され：このレバーにより、可動部材が変位することによって、ガイド手段をロックまたは解放位置に置く。
【００２１】
特許文献１０に記載されている発明によるデバイスの最後の実施形態では、デバイスは、ガイド本体の前方に、可動部材の下に設けられた引き込み可能な止め具を含む。この引き込み可能な止め具も、可動部材の変位により操作され：可動部材が開位置のときにカプセルを所定位置に保つことを可能にする。
【００２２】
理解されるように、特許文献１０は、カプセルを中間位置に一時的に保持し、抽出位置へ変位し、抽出後に解放することを可能にする複数の異なる解決策を提案しているが、これらの解決策には、問題と機能不良の潜在的な原因となる煩雑さがある。
【００２３】
その内容を参照によって本出願に全体的に組み入れる特許文献１２は、特許文献１０に記載されているシステムに対する改良である別のカプセル抽出用デバイスを記載している。
【００２４】
他の公報：特許文献１３、特許文献１４、特許文献１５も参照によって本出願に全体的に組み入れる。
【先行技術文献】
【特許文献】
【００２５】
【特許文献１】米国特許第２８９９８８６号
【特許文献２】米国特許第２９６８５６０号
【特許文献３】米国特許第３４０３６１７号
【特許文献４】米国特許第３６０７２９７号
【特許文献５】ＣＨ６０５２９３
【特許文献６】ＥＰ０２４２５５６Ｂ１
【特許文献７】ＥＰ０４６８０７９Ａ
【特許文献８】ＥＰ０８０６３７３Ａ
【特許文献９】ＥＰ０５５４４６９Ａ
【特許文献１０】ＷＯ２００５／００４６８３
【特許文献１１】ＥＰ５１２’１４８
【特許文献１２】ＷＯ２０１２／１４３８３２Ａ１
【特許文献１３】ＷＯ２００８／０４１１６
【特許文献１４】ＥＰ２１０５０７４
【特許文献１５】ＷＯ２００６／００５７３６
【発明の概要】
【発明が解決しようとする課題】
【００２６】
本発明の目的の１つは、マシンの全体的な機能を改良することである。
【００２７】
より正確には、本発明の目的は、既知のシステム、特に上記で特定された公報に記載されているデバイスを、単純で信頼性のある、簡単に実行できる手段を提案することにより改良することである。
【課題を解決するための手段】
【００２８】
上述の従来技術と同様、本発明は、任意の種類のカプセルに関連し、特に、マシンのガイド手段と連動するフランジのような端部を有するカプセルに関連しており、前記カプセルは、特許文献１０または特許文献１２に記載されるように任意の種類の製品を収容する。本発明は、概してこの同じ従来技術に記載されている従来の抽出マシンで使用することができ、特許文献１０または特許文献１２の記載と原理は、本明細書にそれぞれ適用される。
【００２９】
本発明の発想は、例えばカプセルケージに連結されているカプセル支持スライドのようなガイド手段を提案することであり、このスライドの変位はケージの変位の後に遅れて続き、この遅れによりカプセルへの有益効果を得ることができる。
【００３０】
本発明の様々な実施形態は、添付の特許請求の範囲により定義される。
【００３１】
本発明の第１の実施形態によれば、システムは、カプセルのマシンへの案内と、カプセルの保持と、カプセルの抽出位置への解放とを可能にするスライドを含み、前記ケージは、カプセルのマシン内への導入を可能にする後退された位置と、カプセルがケージ内で抽出プレートに当たって保持される、飲料を抽出する位置との間で変位される。スライドは、遅延作動手段（ｒｅｔａｒｄｅｄ  ａｃｔｕａｔｉｎｇ  ｍｅａｎｓ）により、一方で、ケージがその抽出位置に変位されると、マシンに導入されたカプセルをケージ内に挿入するために、カプセルを解放し、他方で、使用済みカプセルがケージから抜かれた後でのみ初期位置に戻るように、ケージと協調して、しかし遅れて変位される。
【００３２】
ある実施形態によれば、遅延作動手段は、少なくとも１つのピンと、少なくとも１つのスロットとを含む。
【００３３】
ピンまたは複数のピンはケージ上に配設され、対応するスロットまたは複数のスロットはスライド上に配設されている。
【００３４】
ピンまたは複数のピンはスライド上に配設されてもよく、対応するスロットまたは複数のスロットはケージ上に配設されてもよい。
【００３５】
ある実施形態によれば、ケージは、レバーおよび伝動手段により作動される。
【００３６】
ある実施形態によれば、伝動手段は、少なくともギアと、ロッドとを含むことができる。
【００３７】
ある実施形態によれば、システムは、ケージが動いている間に、ケージ内に貫通しカプセルをケージから押し出すカプセルエジェクタを含むことができる。
【００３８】
ある実施形態によれば、本発明は、本出願に定義されるような少なくとも１つのシステムを含む、飲料、例えばコーヒーを作る抽出マシンに関連する。
【００３９】
ある実施形態では、マシンは、飲料を作るための製品を収容する少なくとも１つのカプセルと組み合わされている。製品は、コーヒーまたは別の製品（茶など）とすることができる。
【００４０】
ある実施形態によれば、本発明は、抽出マシン用のシステムを使用してコーヒーのような飲料を抽出する方法にも関連し、前記システムは、カプセルケージに導入されたカプセルを使用し、前記システムは、カプセルのマシンへの進入と、カプセルの保持と、カプセルの抽出位置への解放とを案内するスライドを含み、この方法において、前記ケージは、カプセルのマシン内への導入を可能にする後退された位置と、カプセルがケージ内で抽出プレートに当たって保持される、飲料を抽出する位置との間で変位され、前記スライドは、一方で、ケージがその抽出位置に変位されると、マシンに導入されたカプセルをケージ内に挿入するために、カプセルを解放し、他方で、使用済みカプセルがケージから抜かれた後でのみ初期位置に戻るように、ケージと協調して、しかし遅れて変位される。
【００４１】
ある実施形態によれば、本発明は、本出願に記載されるようなマシンを使用する方法に関連する。
【００４２】
別の実施形態によれば、本発明は、本出願に記載されるようなシステムまたはマシンの使用に関連する。
【００４３】
本発明は、本発明の実施形態の記載および図面により、いっそう理解されるであろう。
【図面の簡単な説明】
【００４４】
【図１】カプセルを備える、本発明による抽出マシンの概観的な斜視図である。
【図２】第１の位置における本発明の側面断面図である。
【図３】第２の位置における本発明の側面断面図である。
【図４】第３の位置における本発明の側面断面図である。
【図５】第４の位置における本発明の側面断面図である。
【図６】第５の位置における本発明の側面断面図である。
【図７】第６の位置における本発明の側面断面図である。
【図８】第７の位置における本発明の側面断面図である。
【図９】第８の位置における本発明の側面断面図である。
【図１０】図２と図３の位置間の位置における本発明の別の側面断面図である。
【図１１】図５の位置の側面断面図である。
【図１２】図６と図７の位置間の位置における本発明の別の側面断面図である。
【図１３】図８と図９の位置間の位置における本発明の別の側面断面図である。
【図１４】第１の位置における本発明の第２の実施形態の側面断面図である。
【図１５】第２の位置における本発明の第２の実施形態の側面断面図である。
【図１６】第３の位置における本発明の第２の実施形態の側面断面図である。
【図１７】第４の位置における本発明の第２の実施形態の側面断面図である。
【図１８】飲料抽出位置における本発明の第２の実施形態の側面断面図である。
【図１９】第５の位置における本発明の第２の実施形態の側面断面図である。
【図２０】第６の位置における本発明の第２の実施形態の側面断面図である。
【図２１】第７の位置における本発明の第２の実施形態の側面断面図である。
【図２２】第８の位置における本発明の第２の実施形態の側面断面図である。
【発明を実施するための形態】
【００４５】
以下の記載において、異なる図面において同様のおよび／または同一の要素は、同じ参照番号で示されている。
【００４６】
図１は、カプセル３に収容される飲料、例えばコーヒーを調製するために使用されるマシン１の概観的な斜視図である。従来技術において知られているように（例えば本出願において引用した上記公報参照）、カプセル３が、マシン内に導入され、レバー２を操作することによりカプセルケージ内に保持される。
【００４７】
図２は、従来技術から知られている方法による、カプセル３がマシン内に導入された後で、例えばスロットにより案内された、飲料抽出システムの側面断面図であり、特に特許文献１２に含まれる説明を参照されたい。
【００４８】
カプセル３は、従来技術から知られている原理に従って、可動スライド５により抽出プレート４に対向して保持され、カプセル３の案内および保持は、そのフランジにて行われる。
【００４９】
マシンにはまた、軸方向に変位されるカプセルケージ６が存在し、カプセルケージ６は、一組のロッド７およびギア８、９により動かされ、ギア９はレバー２に連結されている。
【００５０】
図２に示された位置では、カプセル３は、マシン１に導入されており、レバー２は上昇位置にあり、すなわち、図示するようにカプセル３の良好な位置決めを可能にするように、ケージ６は抽出プレート４から取り外された位置にある。
【００５１】
図３では、レバー２は、（例えば使用者により手動で操作され）左へ向かって回転運動を開始し、よって下げられている。この回転の結果、ギアシステム８、９およびロッド７が作用し、ロッド７が、軸方向にプレート４の方向へ（図３の左に向かって）、カプセルケージ６を押進する。ケージ６は、両側に、スライド５のスロット１１内で変位されるピン１０を含む（ここでは片側のみ示されている）。図２では、ピンは、スロット１１の右手側（近位側）に位置し、図３では、ピン１０は、スロット１１の左手側（遠位側）に位置している。
【００５２】
スロット１１内の遠位位置にピン１０が到達することで、スライド５の軸方向の（図の左に向かう）変位がもたらされ、カプセル３のフランジを解放する。同時に、カプセルがケージ６内で、その最高点で「捕捉」され、図３に示すように、プレート４およびケージ６に当たって所定位置に保持される。
【００５３】
図４は、レバー２が、左に向かって（降下する方向に）回転を継続し、その効果により、ケージ６のプレート４に向かう（左に向かう）変位およびスライド５の変位が継続する、システムの別の位置を示す。
【００５４】
最後に、図５は、飲料の抽出準備が整ったマシンを示す。レバー２は、完全に下げられ、カプセル３は、ケージ６に完全に収容され、スライド５は、マシン１の左に押進されている。加圧液体（例えば水）の注入により飲料を抽出することができ、加圧液体は、例えば上述の従来技術の公報から知られている抽出方法に従って、カプセルおよびカプセルに収容された製品を通過した後で、プレート４から退出する。
【００５５】
飲料の抽出が完了した後で、使用済みカプセルを解放し、新しいカプセルを受ける準備をするための機構の開き方が重要となる。
【００５６】
図６は、機構の開き運動の開始を示す。この目的のために、レバー２が上方に動かされる。レバー２のこの動きは、ギア８、９およびロッド７を通し、ケージ６を図６の右へ向かって後退させる効果を有する。ケージのこの動きの効果は、ピン１０はスロット１１内で変位することができるため、スライド５を動かすことなくスロット１１の近位側に向かって、すなわち右へ向かってピン１０が変位されることである。よってスライドは、ケージ６に比べて遅れた動きを有する。この遅れは、これから説明され、以下に示される、簡単で確実なカプセルの抽出を可能にする本発明の有利性である。
【００５７】
図７では、マシンの開き運動が継続され、レバー２が上方に動かされている。ロッド７およびギア８、９により、ケージ６は、図の右へ向かうその後退運動を継続し、カプセル３は、保持から解放されている。ケージ６およびピン１０の動きは、スロット１１の近位端部へそれらをもたらし、この時点で（図７に示すように、ピン１０がスロット１１の長さを通過すると）はじめて、スライドは、所定の位置への（図の右手側に向かう）戻り運動を開始する。スロット１１内のピン１０の変位によりもたらされるスライド５の作動におけるこの遅れにより、ケージ６から抜かれたカプセル３は、スライド５に保持されることなく完全に解放され、ケージ６から十分に解放された後で、マシンから外に落ちることができる。この状況は図８に示されており、カプセル３が下の方へ落ち始めていることが確認できる。
【００５８】
図９は、機構が、（例えば図２に示されるように）初期位置へ戻り、新しいカプセル３を受けることができる状態にあるマシン１の斜視図であり断面図である。この図では、ケージ６の両側に配設され、スロット１１を有する２つのスライド５を確認することができ、ケージもまた、本発明の原理に従って、ピン１０を両側に有している。スライド５は、ケージ６およびピン１０のスロット内の動きにより、初期位置にもたらされている。
【００５９】
スロット１１およびピン１０のデザインによりもたらされるスライド５の動きの遅れの別の有利性は、使用済みカプセルの解放を可能にするという事実のほかに、カプセル３が存在するときに、ケージ６が、抽出する目的でプレート４の方向へ前進されたとき（図２および図３で示すような状況）、スライド５がすぐには変位されないことであり、これにより初期段階において、カプセル３の良好な保持を確実にする。
【００６０】
図１０は、本発明の機構の別の側面断面図を示す。この図により、使用済みカプセル３をケージ６から排出することを促進する手段の一例を表示することができる。より正確には、図１０に示された機構の位置は、新しいカプセル３がマシン１内に導入されている図２の機構の位置に相当する。
【００６１】
図１１は、飲料の抽出準備が整ったマシンの、図５に示された機構の位置に相当する。
【００６２】
図１２は、機構が、使用されたカプセル３を解放するために開かれ始めた図７の機構の位置に相当する。ケージ６は、（図の右に向かう）戻り運動を開始し、カプセル３は、エジェクタ１２によりケージ６から押し出されており、このエジェクタ１２は、マシン１に固定され、ケージ６はそれに沿って変位される。
【００６３】
図１３は、機構が開かれた後に、カプセル３がケージ６から落ちている段階を示す。この段階は、図８に示された段階に相当するが、やや後であり、カプセル３が、マシンからカプセル回収ユニット内に落ち始めている。
【００６４】
図１４から図２２は、本発明による抽出マシンの第２の実施形態を示す。
【００６５】
第１の実施形態の図２の位置に概ね相当する図１４では、ハンドル２は上昇位置にあり（マシンは開かれている）、カプセル３は、マシン内に導入されており、スライド５’およびエジェクタ１２により保持されている。このことにより、この実施形態では、フランジにより保持されているカプセル３が、その形状とフランジに対するカプセルの重心の位置のために傾く傾向にあるにもかかわらず、カプセル３の軸をケージ６の軸と心合わせしてカプセル３を有することが可能となる。スライド５’は、ケージ６のピンまたはスピンドル１０’上を摺動するスロット１１’を含む。アクスル２０がケージ６の長手方向の案内のために設けられている。図２と図１４との比較より確認できるように、スライド５’は、第２の実施形態ではケージ６の底部に向かって偏位している。
【００６６】
図１５は、ハンドル２の下降が始められた位置を示し、一組のギア９、８およびロッド７により、遅延スロット（ｒｅｔａｒｄｉｎｇ  ｓｌｏｔ）１１’があるため、スライド５’を動かすことなく、ケージ６は、図の左へ向かって前進し始めている。エジェクタ１２もケージ６に対して固定位置を有するため、カプセル３は、ケージ６が変位されている間、安定した位置で保持される。
【００６７】
レバー２が下げられ続けると、図１６の位置に到達し、そこでは、スピンドル１０’がスロット１１’の端部へ達しているため、スライド５’もまた、ケージ６と共に図の左へ向かって変位される。図１６に示す位置では、スライドの前方端部は、カプセル３のフランジから係合解除されており、カプセル３は、ここで抽出プレート４およびケージ６により保持されている。
【００６８】
図１７は、カプセル３が、ほぼプレート４に当たる位置にあり、スライド５’が、図の左に向かってケージ６が前進した影響のもとに完全に前進されている、抽出位置に近い状態を示す。
【００６９】
図１８は、ケージ６およびプレート４がカプセル３を囲む、抽出位置にあるマシンを示す。
【００７０】
図１９は、飲料抽出後のケージ６の後退手順の開始を示す。ハンドルが持ち上げられ、ケージ６を後方へ（図の右手側に向かって）動かす。ケージ６の後退運動が開始されたにもかかわらず、スライド５’は動いておらず、スロット１１’内で変位されるのはスピンドル１０’である。カプセル３は、ケージ６からすでに解放されているか、ケージ６からカプセル３を押し出すエジェクタ１２と接するまで、ケージにより運ばれるかのいずれかである。
【００７１】
図２０は、使用済みカプセル３を取り除くためのケージ６の残りの後退手順を示す。ハンドル２の位置は、先行する図における位置よりも高く、ケージ６は、（図の右に向かって）さらに後進しており、スピンドル１０’が近位端部（ハンドル２の近く）へ達したため、ここでスライド５’を駆動する。ケージ６の右へのいかなる動きの影響も、スライド５’の右への動きに一致する。
【００７２】
図２１の表示では、ケージ６は十分に後進し、カプセル３は、ケージ６から落ちることが可能であり、先行する図に比べ下方に移っているカプセルの位置により落下の様子が示されている。
【００７３】
スライド５’は、（図１４に示すような）それらの初期位置にまだ戻っておらず、カプセル３は、制限なく落下することができる。
【００７４】
カプセルのこの落下運動は、より強調されて図２２にも示されており、そこでは、ハンドルは垂直または垂直に近い位置にある。
【００７５】
システムのこの位置では、ケージ６は、最も後退された位置にあり、ケージ６の中心に、エジェクタを確認することができる。システムは、ここで新しいカプセル３を受けることができ：位置は図１４の位置にあるが、デバイス内にカプセルは挿入されていない。新しいカプセル３が受け入れられた後で、抽出サイクルが図１４から再び開始される。
【００７６】
本発明は、当然のことながら、例示として非限定的に記載された抽出方法に限定されるものでなく、特許請求の範囲の保護の範囲内で改変が可能である。記載された実施形態を、制限なく状況に応じて組み合わせることも可能である。
【００７７】
特に、記載された手段に均等な別の手段をとることもできる。
【００７８】
本発明に従って使用するために、スライドをいかようにも適用することができる。例えば、スライドをプラスチック、合成材料などから作ることができる。
【００７９】
ピン１０およびスロット１１の代わりに、スライド５の動きを遅らせることができる他の形式の技術的手段も考えられる。例えばカムシステムまたは他のシステムを使用することも可能である。スライドを、例えばケージ６およびそのピン１０ではなく、ロッド７またはレバー２により作動させることも可能である。スロット１１は、求められる結果を達成するために適切な任意の大きさを有することができる。
【図１】
2016518192.tif 000003
【図２】
2016518192.tif 000004
【図３】
2016518192.tif 000005
【図４】
2016518192.tif 000006
【図５】
2016518192.tif 000007
【図６】
2016518192.tif 000008
【図７】
2016518192.tif 000009
【図８】
2016518192.tif 000010
【図９】
2016518192.tif 000011
【図１０】
2016518192.tif 000012
【図１１】
2016518192.tif 000013
【図１２】
2016518192.tif 000014
【図１３】
2016518192.tif 000015
【図１４】
2016518192.tif 000016
【図１５】
2016518192.tif 000017
【図１６】
2016518192.tif 000018
【図１７】
2016518192.tif 000019
【図１８】
2016518192.tif 000020
【図１９】
2016518192.tif 000021
【図２０】
2016518192.tif 000022
【図２１】
2016518192.tif 000023
【図２２】
2016518192.tif 000024
【国際調査報告】
2016518192.tif 000025
2016518192.tif 000026
2016518192.tif 000027
2016518192.tif 000028